(57)【要約】【課題】  ウィークリータイマー機能を設定可能な画像形成装置において、適切なタイミングで容易に、ウィークリータイマー機能の設定や設定た時間の変更を行えるようにすることにある。【解決手段】  この画像形成装置１は、操作キーと、データ保持領域５９、判断プログラム５７と、表示パネルとを備えている。判断プログラム５７は、データ保持領域５９に記憶された複数の稼働履歴同士の差が所定の時間内にあるか否かを判断するとともにウィークリタイマー機能が設定されているか否かを判断するためのものである。表示パネルは、判断プログラム５７の実行により、複数の稼働履歴同士の差が所定の時間内にありウィークリータイマー機能が設定解除されていると判断された場合は、ウィークリータイマー機能の設定を促す第１選択画面２１を表示する。【選択図】      図７
2005208375.tif 000002
【特許請求の範囲】
【請求項１】
ウィークリータイマー機能を設定可能な電源装置であって、
前記ウィークリータイマー機能を設定又は設定解除可能な設定操作部と、
電源がオン又はオフされた時間を稼働履歴として順次記憶する記憶部と、
前記記憶部に記憶された複数の稼働履歴同士の差が所定の時間内にあるか否かを判断するとともに前記ウィークリタイマー機能が設定されているか否かを判断する判断手段と、
前記判断手段により、前記複数の稼働履歴同士の差が所定の時間内にあり前記ウィークリータイマー機能が設定解除されていると判断された場合は、前記ウィークリータイマー機能の設定を促す報知動作部と、
を備えた電源装置。
【請求項２】
前記報知動作部は、表示装置を有しており、前記記憶部に記憶された複数の前記稼働履歴の差が所定の時間内にありかつ前記ウィークリータイマー機能が設定解除されている場合は、前記ウィークリータイマー機能の設定を行うか否かを選択するための第１選択画面を前記表示装置に表示する、請求項１に記載の電源装置。
【請求項３】
前記判断手段は、前記ウィークリータイマー機能が設定されていると判断した場合は、前記ウィークリータイマー機能により電源がオン又はオフされる設定時間と前記記憶部に記憶された稼働履歴との差が所定の時間を超えているか否かをさらに判断し、
前記報知動作手段は、前記判断手段により前記設定時間と前記稼働履歴との差が所定の時間を超えていると判断された場合は、前記設定時間の変更を促す、
請求項１又は２に記載の電源装置。
【請求項４】
前記報知動作部は、表示装置を有しており、前記設定時間と前記稼働履歴との差が所定時の時間を超えている場合は、前記設定時間を変更するか否かを選択するための第２選択画面を前記表示装置に表示する、請求項３に記載の電源装置。
【請求項５】
前記報知動作部は、前記第１選択画面において前記ウィークリータイマー機能を設定することが選択された場合又は前記第２選択画面において前記設定時間を変更することが選択された場合に、前記電源オン又はオフの時間の設定を変更するための設定画面を前記表示装置に表示する、請求項２又は４に記載の電源装置。
【請求項６】
前記報知動作部は、前記画面に複数の前記稼働履歴をさらに表示する、請求項２，４又は５に記載の電源装置。
【請求項７】
前記報知動作部は、前記画面に表示された複数の前記稼働履歴のうち、差が前記所定の時間内にあるもの同士を同じ表示態様で表示する、請求項６に記載の電源装置。
【請求項８】
前記判断手段は、所定期間内にある稼働履歴を用いて、前記複数の稼働履歴の差が所定の時間内にあるか否か又は前記設定時間と前記稼働履歴との差が所定の時間内にあるか否かを判断する、請求項１から７のいずれかに記載の電源装置。
【請求項９】
請求項１から８のいずれかに記載の電源装置を有し、
前記電源装置による電源のオン又はオフ動作に伴い起動又は終了を行う、
電気機器。
【発明の詳細な説明】
【技術分野】
【０００１】
本発明は、電源装置、特に、ウィークリータイマー機能を設定可能な電源装置に関する。また、本発明は、そのような電源装置を備えた電源機器に関する。
【背景技術】
【０００２】
例えば、複写機、プリンタ等の画像形成装置において、予め設定された時間に装置の電源が自動的にオン又はオフするウィークリータイマー機能を有するものがある。この機能を利用すれば、毎回装置に対して電源投入の操作を行う手間が省け、また、電源の切り忘れによる無駄な電力消費を防ぐことができる。
【０００３】
この種の画像形成装置では、一般に、キー操作等により、ウィークリータイマー機能が作動するよう設定し、或いは、この機能を作動させないよう設定解除することができるようになっている。これにより、ユーザーは、例えば、過去数日間の電源投入時刻が近いと思われる場合はウィークリータイマー機能を設定するとともに、電源投入時刻にばらつきがあると思われる場合はこの機能を設定解除することができる。
【０００４】
従来のこの種の画像形成装置として、例えば、下記特許文献１に示すような装置が既にて提案されている。この装置では、装置の稼働状況がグラフ等で表示されるので、ユーザーは、これを参照して、ウィークリータイマー機能を設定すべきか否か、或いは、ウィークリータイマー機能が既に提案されている場合は、設定時間をより適切な時間に変更すべきか否かを判断できるようになっている。
【特許文献１】特開平８−１３７３４３号公報
【発明の開示】
【発明が解決しようとする課題】
【０００５】
しかしながら、上記従来の画像形成装置において、ウィークリータイマー機能を設定するか否かの判断又は設定時間の変更をするか否かの判断をするには、ユーザーは、装置の稼働状況を監視する必要があり、ユーザーに負担がかかる。また、これらの判断を行う際に、グラフ等を参照して過去の稼働時間を把握するのは面倒であり、さらにユーザーに負担がかかる。
【０００６】
本発明の目的は、ウィークリータイマー機能を設定可能な電源装置において、適切なタイミングで容易に、ウィークリータイマー機能の設定や設定た時間の変更を行えるようにすることにある。
【課題を解決するための手段】
【０００７】
請求項１に係る電源装置は、ウィークリータイマー機能を設定可能な電源装置であって、設定操作部と、記憶部と、判断手段と、報知動作部とを備えている。設定操作部は、ウィークリータイマー機能を設定又は設定解除可能である。記憶部は、電源がオン又はオフされた時間を稼働履歴として順次記憶する。判断手段は、記憶部に記憶された複数の稼働履歴同士の差が所定の時間内にあるか否かを判断するとともにウィークリタイマー機能が設定されているか否かを判断する。報知動作部は、判断手段により、複数の稼働履歴同士の差が所定の時間内にありウィークリータイマー機能が設定解除されていると判断された場合は、ウィークリータイマー機能の設定を促す。
【０００８】
この装置では、電源オン又はオフされた時間が順次記憶部に稼働履歴として記憶されるが、これらの稼働履歴の差が所定の時間内にあると判断された場合、すなわち同じような時間帯に電源がオン又はオフされた場合は、ウィークリータイマー機能が設定されていない場合はウィークリータイマー機能の設定を促すよう動作する。これにより、ユーザーは、ウィークリータイマー機能を設定すべきタイミングであることに気付くことができる。
【０００９】
したがって、ユーザーは、報知動作部によりウィークリータイマー機能の設定を促された場合にはじめて、ウィークリータイマー機能の設定を行うか否かを判断すればよく、装置の稼働状況を監視する必要がない。また、その際に、従来のようにグラフ等を参照して装置の稼働時間を把握しなくても済み、ユーザーの負担が軽減される。
【００１０】
なお、本発明において、記憶部に記憶される電源オン又はオフされた時間には、ウィークリータイマー機能によってオン又はオフされた時間のみでなく、設定時間よりも前に手動でオン又はオフされた時間も含まれる。また、ウィークリータイマー機能により電源オン又はオフされる時間には、設定操作部により設定された時間のみでなく、製造時等に予め設定されたデフォルト値も含まれる。さらに、報知動作部による動作の態様としては、後述するような表示装置による表示や、所定の警告音の発生若しくは警告ランプの点灯等が含まれる。
【００１１】
請求項２に係る電源装置は、請求項１の装置において、報知動作部は、表示装置を有しており、記憶部に記憶された複数の稼働履歴の差が所定の時間内にありかつウィークリータイマー機能が設定解除されている場合は、ウィークリータイマー機能の設定を行うか否かを選択するための第１選択画面を表示装置に表示する。
【００１２】
この装置では、複数の稼働履歴の差が所定の時間内にある場合は、具体的に、ウィークリタイマー機能の設定を促す第１選択画面を表示することで、ユーザーにウィークリータイマー機能の設定を行うタイミングを知らせるようにしている。
【００１３】
請求項３に係る電源装置は、請求項１又は２の装置において、判断手段は、ウィークリータイマー機能が設定されていると判断した場合は、ウィークリータイマー機能により電源がオン又はオフされる設定時間と記憶部に記憶された稼働履歴との差が所定の時間を超えているか否かをさらに判断する。報知動作手段は、判断手段により設定時間と稼働履歴との差が所定の時間を超えていると判断された場合は、設定時間の変更を促す。
【００１４】
この装置では、ウィークリータイマー機能が既に設定されている場合は、設定時間と稼働時間との間に一定時間以上の開きがある場合に設定時間の変更を促すことで、ユーザーに、設定時間の変更をすべきタイミングを知らせるようにしている。ここでは、ユーザーは、報知動作部により促された場合にはじめて、設定時間の変更を行うか否かを判断すればよく、従来のように装置の稼働状況を監視する必要がない。また、その際に、従来のようにグラフ等を参照して装置の稼働時間を把握しなくても済み、ユーザーの負担が軽減される。
【００１５】
なお、ここでの所定の時間は、請求項１での所定の時間とは異なる時間であってもよい。
【００１６】
請求項４に係る電源装置は、請求項３の装置において、報知動作部は、表示装置を有しており、設定時間と稼働履歴との差が所定時の時間を超えている場合は、設定時間を変更するか否かを選択するための第２選択画面を表示装置に表示する。
【００１７】
この装置では、ウィークリータイマー機能が既に設定されている場合に、設定時間と稼働時間との差が所定の時間内にある場合は、具体的に、設定時間の変更を促す第２選択画面を表示することで、ユーザーに設定時間の変更を行うタイミングを知らせるようにしている。
【００１８】
請求項５に係る電源装置は、請求項２又は４の装置において、報知動作部は、第１選択画面においてウィークリータイマー機能を設定することが選択された場合又は第２選択画面において電源オン又はオフの時間を変更することが選択された場合に、電源オン又はオフの時間の設定を変更するための設定画面を表示装置に表示する。
【００１９】
この装置では、各選択画面においてウィークリータイマーの設定または設定時間の変更が選択された場合は、自動的に設定画面が表示されるため、使い勝手がよくなる。
【００２０】
請求項６に係る電源装置は、請求項２，４又は５の装置において、報知動作部は、画面に複数の稼働履歴をさらに表示する。
【００２１】
この装置では、選択画面や設定画面に、稼働履歴が併せて表示されるため、ユーザーは、ウィークリータイマー機能の選択や設定時間の変更を行う際にこれらの情報を参考にすることができる。
【００２２】
なお、単に画面という場合は、選択画面と設定画面の双方が含まれるものとする。また、ここで表示される稼働履歴には、電源がオンまたはオフされた時刻のみでなく、日付が含まれてもよい。
【００２３】
請求項７に係る電源装置は、請求項６の装置において、報知動作部は、画面に表示された複数の稼働履歴のうち、差が所定の時間内にあるもの同士を同じ表示態様で表示する。
【００２４】
この装置では、電源オンまたはオフされた時間が互いに近い稼働履歴は、同じ表示態様で表示されるので、ユーザーは画面を見てどの稼働履歴同士が近い時間帯にあるかを容易に把握することができる。
【００２５】
なお、表示態様としては、例えば、電源オン又はオフされた時間を、同じ色、文字サイズ、フォント、太さで表示する、或いは、その時間の背景色を他の部分と異ならせて表示することが含まれる。
【００２６】
請求項８に係る電源装置は、請求項１から７のいずれかの装置において、判断手段は、所定期間内にある稼働履歴を用いて、複数の稼働履歴の差が所定の時間内にあるか否か又は設定時間と稼働履歴との差が所定の時間内にあるか否かを判断する。
【００２７】
この装置では、判断の対象となる複数の稼働履歴が所定期間内にあるものに限定されているため、近い時間帯で電源がオン又はオフされた頻度が高い場合に、ウィークリータイマー機能の設定又は設定時間の変更がユーザーに促される。
【００２８】
請求項９に係る電気機器は、請求項１から８のいずれかに記載の電源装置を有している。また、電源装置による電源のオン又はオフ動作に伴い起動又は終了を行う。
【００２９】
この電気機器では、上記の電源装置を有していることから、ユーザーは、ウィークリータイマー機能の設定を促された場合にはじめて、その設定を行うか否かを判断すれば良く、稼働状況の監視等の負担が軽減される。
【００３０】
なお、電気機器としては、例えば、複写機、プリンタ等の画像形成装置が含まれる。
【発明の効果】
【００３１】
本発明によれば、ユーザーは、報知動作部によりウィークリータイマー機能の設定を促された場合にはじめて、ウィークリータイマー機能の設定を行うか否かを判断すればよく、装置の稼働状況を監視する必要がない。また、その際に、従来のようにグラフ等を参照して装置の稼働時間を把握しなくても済み、ユーザーの負担が軽減される。
【発明を実施するための最良の形態】
【００３２】
［画像形成装置の構成］
図１及び図２に、本発明の一実施形態が採用された画像形成装置１を示す。
【００３３】
この画像形成装置１は、複写機、プリンタ及びファクシミリ装置としての機能を備えた複合型の装置であるとともに、ウィークリータイマー機能を有している。画像形成装置１は、原稿読取部１１、画像形成部１３、入力操作部１５及び通信部１７等を含む入出力部と、電源１８と、入出力部及び電源１８の動作を制御するための制御部１９とを有している。なお、ここでは、入力操作部１５，電源１８及び制御部１９により、電源装置２０が構成される。
【００３４】
原稿読取部１１は、原稿の画像情報を読み取るためのものであり、図示しない光学系等で構成される。
【００３５】
画像形成部１３は、原稿読取部１１で読み取られた画像情報や、外部から取得した画像情報に基づいて画像形成を行うためのものであり、図示しない現像装置、転写装置及び定着装置等で構成される。
【００３６】
入力操作部１５は、オペレータによって操作される複数の操作キー、及び印刷に関する情報を表示するための表示パネル（共に図示せず）を有している。操作キーには、数値入力のためのテンキー、印刷の指示のためのスタートキーのほか、ウィークリータイマー機能を設定及び設定解除するためのキーや、後述する選択画面２１，３１及び設定画面４１に対し操作を行うためのキーを有している。
【００３７】
表示パネルは、タッチパネル式の液晶ディスプレイで構成されており、印刷に関する種々の情報のほか、選択画面２１，３１（図３及び図４参照）及び設定画面４１（図５参照）が表示される。
【００３８】
選択画面２１は、ウィークリータイマー機能の設定を促すための画面であり、この選択画面２１には、「はい」ボタン２３及び「いいえ」ボタン２５が表示され、いずれかのボタン２３，２５にタッチパネルの上から触れることでウィークリータイマー機能を設定するか否かを選択することができる。また、選択画面２１には、これらのボタン２３，２５と併せて、過去３日間のそれぞれの稼働履歴（電源オンされた時刻及び日付）２７ａ〜２７ｃを含む履歴表示２７が示される。そして、これらの稼働履歴２７ａ〜２７ｃのうち、所定の時間（ここでは、３０分）内あるもの同士（ここでは、稼働履歴２７ａ及び２７ｃ）については、共に背景部分が他の稼働履歴（ここでは、稼働履歴２７ｂ）の背景部分とは異なる色に発色して表示される。以上の選択画面２１は、ウィークリータイマー機能が設定解除されている状態で装置１の電源１８がオンされて装置１の立ち上げが完了し、過去３日分の稼働履歴について少なくとも２つの稼働履歴の時間差が３０分以内であると判断された場合に表示される。
【００３９】
選択画面３１は、ウィークリータイマー機能の設定時間の変更を促すための画面であり、選択画面２１とほぼ同様に構成された画面である。すなわち、ここでも、「はい」ボタン３３、「いいえ」ボタン３５、履歴表示３７が表示され、ユーザーは、履歴表示３７の情報を参考にしながら、「はい」ボタン３３及び「いいえ」ボタン３５のいずれかをタッチパネルの上から触れることでウィークリータイマー機能の設定時間を変更するか否かを選択することができる。また、この選択画面３１では、稼働履歴３７ａ〜３７ｃのうち、設定時間（ここでは、１０：００）と所定の時間（ここでは、３０分）内あるもの（ここでは、稼働履歴３７ａ及び３７ｃ）について、共に背景部分が他の稼働履歴（ここでは、稼働履歴３７ｂ）の背景部分とは異なる色に発色して表示される。以上の選択画面３１は、既にウィークリータイマー機能が設定されている場合に、装置１の電源１８がオンされて装置１の立ち上げが完了し、設定時間と過去３日分の稼働履歴の少なくともいずれか１つとの時間差が３０分を超えていると判断された場合に表示される。
【００４０】
設定画面４１は、予め設定された電源オン時間を変更するための画面であり、選択画面２１，３１で「はい」ボタン２３，３３が押されると表示される。なお、この設定画面４１は、選択画面２１，３１の上に重ねて表示されてもよく、選択画面２１，３１を閉じてから表示されてもよい。設定画面４１では、電源オンの時刻を入力するための欄４３が表示され、テンキーの操作により時刻を変更することができる。また、設定画面４１には、選択画面２１，３１で表示されたのと同様の履歴表示４７が表示され、ユーザーが設定時間をいつにするかを決めるのに参考にできるようになっている。なお、以上の選択画面２１，３１及び設定画面４１は、装置１が電源オフされる場合についてのウィークリータイマー機能の設定又は設定時間の変更を促す際にも表示される。
【００４１】
通信部１７は、通信ケーブル若しくは無線リンクにより外部に接続された他の画像形成装置や情報処理装置との間で画像データ等の送受信を行うためのものである。
【００４２】
電源１８は、入出力部及び制御部１９に電力を供給するためのものである。
制御部１９は、図６に示すように、ＣＰＵ５１及びメモリ（ＲＡＭ及びＲＯＭ）５３等含むマイクロコンピュータで構成される。ＣＰＵ５１は、メモリ５３に格納されたプログラムを実行することで、入出力部からのデータの受け取り、受け取ったデータの処理、処理したデータの入出力部への出力等を行うほか、電源１８のオン又はオフ動作の制御を行う。
【００４３】
メモリ５３には、各入出力部及び電源１８の制御プログラム５５のほか、ウィークリータイマー機能の設定及び設定時間の変更を促す際に実行される判断プログラム５７が格納されている。判断プログラム５７は、ここでは、過去３回の稼働履歴を比較して、互いの時間差が３０分以内にある複数の稼働履歴があるか否かを判断する機能を有している。また、判断プログラム５７は、既にウィークリータイマー機能が設定されている否かの判断を行う機能を有している。さらに、判断プログラム５７は、ウィークリータイマー機能による設定時間と現実に電源オン又はオフされた過去３回の稼働履歴とを比較して、両者の時間差が３０分を超えるものがあるか否かを判断する機能を有している。
【００４４】
また、メモリ５３は、データ保持領域５９をさらに有しており、ウィークリータイマー機能による電源オン又はオフ時間が記憶されるとともに、現実に電源１８がオン又はオフされた時間が稼働履歴として順次記憶される。データ保持領域５９に記憶される稼働履歴は、例えば、最新の稼働履歴を３回分のみ保持して古いものから順次消去されてもよく、また、３回分より多くの稼働履歴を保持可能であっても良い。
【００４５】
［画像形成装置の動作］
次に、図７に基づいて、画像形成装置１の動作の一例について説明する。
【００４６】
画像形成装置１の電源１８がオフの状態で、設定時間になったことにより又は設定時間よりも前に手動により電源１８がオンされて（Ｓ１）、装置１の立ち上げが完了すると、過去３日分の稼働履歴の間に時間差が３０分以内のものがあるかどうかが判断される（Ｓ２）。そして、時間差が３０分以内のものがあると判断された場合は、次いで、ウィークリータイマ機能が設定されているかどうかが判断され（Ｓ３）、この機能が設定されていると判断された場合は、さらに、設定された時間と実際に電源オンされた時間との間に３０分を超える時間差があるかどうかが判断され（Ｓ４）、そのような時間差がある場合は、第２選択画面３１が表示されて、設定時間の変更が促される（Ｓ５）。
【００４７】
この第２選択画面３１において、「はい」ボタン３３が押されると（Ｓ６）、次いで設定画面４１が表示される（Ｓ７）。そして、欄４３に新たな時間が入力されて、設定時間が変更された場合は（Ｓ８）、変更された時刻が新たに設定時間としてメモリ５３に記憶されて（Ｓ９）、ステップＳ１６に移行するとともに、設定時間が変更されなかった場合は（Ｓ８）、そのままステップＳ１６に移行する。なお、ステップＳ４において、第２選択画面３１に対し「いいえ」ボタン３５が押された場合も、そのままステップＳ１６に移行する。
【００４８】
一方、ステップＳ３において、ウィークリータイマー機能が設定されていないと判断された場合は、第１選択画面２１が表示されて、ウィークリータイマー機能の設定が促される（Ｓ１０）。この第１選択画面２１において、「はい」ボタン２３が押されて、ウィークリータイマー機能が設定されると（Ｓ１１）、設定画面４１表示され（Ｓ１２）、電源オンされる時間を設定することができる。ここで新たに時間の設定が行われると（Ｓ１３）、その時間がメモリ５３に設定時間として記憶され（Ｓ１４）、ステップＳ１６に移行し、新たな時間の設定が行われなかった場合は、以前に設定された設定時間若しくはデフォルト値が変更されずに（Ｓ１５）、ステップＳ１６に移行する。
【００４９】
ステップＳ１６では、装置１の電源オフ時間について、上記ステップＳ１〜Ｓ１５と同様のステップによりウィークリータイマーの設定又は設定時間の変更を促す動作が行われる。ステップＳ１６が終了すると、通常の複写動作等の指示待ち状態となる。
【００５０】
以上のような画像形成装置１によれば、ユーザーは、表示パネルに選択画面２１，３１のいずれか表示された場合にはじめて、ウィークリータイマー機能の設定又は設定時間の変更を行うか否かを判断すればよく、従来のように装置１の稼働状況を監視する必要がなくなる。また、そのような判断を行う際に、従来のようにグラフ等を参照して装置の稼働時間を把握しなくても良いため、ユーザーの負担が軽減される。
【００５１】
［他の実施形態］
（ａ）判断手段としては、ＣＰＵに判断プログラムを実行させる態様に代えて、これと同様に機能する論理回路等の他の手段が採用されても良い。
【００５２】
（ｂ）判断手段は、過去何回分の稼働履歴を判断の対象とするか、また、判断の基準となる時間差が何分であるか等の事項は、上記実施形態で説明したものい限定されない。また、これらの事項は、製造時に工場等で予め設定されてもよく、また、ユーザーにとって最適なタイミングになるよう、製造後に手動で若しくは所定のプログラムにより自動で設定されてもよい。
【００５３】
（ｃ）選択画面は、装置の立ち上げ終了後以外のタイミングで表示されてもよい。
（ｄ）電源オン、オフの時間の設定又は変更は、操作キーに代えて、表示画面上にそのためのボタンを表示した場合にあってはタッチパネルに触れることで行えるようにしても良い。
【００５４】
（ｅ）画像形成装置は、複写機、プリンタ及びファクシミリ装置の機能の一部のみを備えたものであってもよい。
【００５５】
（ｆ）本発明は、画像形成装置に適用されるのみでなく、照明機器、家電機器（例えば、オーディオ・ビジュアル機器や空調機器）、事務機器等の電化製品、或いは、コンピュータ等、電源のオン又はオフ制御を行う機器であればいずれも適用可能である。
【図面の簡単な説明】
【００５６】
【図１】本発明の一実施形態が採用された画像形成装置を示す斜視図。
【図２】前記画像形成装置の構成を模式的に示すブロック図。
【図３】前記画像形成装置の表示パネルに表示される第１選択画面を示す平面図。
【図４】前記画像形成装置の表示パネルに表示される第２選択画面を示す平面図。
【図５】前記画像形成装置の表示パネルに表示される設定画面を示す平面図。
【図６】前記画像形成装置の制御部の構成を模式的に示すブロック図。
【図７】画像形成装置の動作を説明するためのフローチャート。
【符号の説明】
【００５７】
１  画像形成装置
１５  入力操作部
１８  電源
１９  制御部
２０  電源装置
２１，３１  選択画面
４１  設定画面
５７  判断プログラム
５９  データ保持領域
【図１】
2005208375.tif 000003
【図２】
2005208375.tif 000004
【図３】
2005208375.tif 000005
【図４】
2005208375.tif 000006
【図５】
2005208375.tif 000007
【図６】
2005208375.tif 000008
【図７】
2005208375.tif 000009